(57)【要約】【課題】  紫外線照射光源の放熱効果に優れ且つ、印刷ヘッドの高速化に適したプリンタ用紫外線照射装置を提供する。【解決手段】印刷ヘッドから紫外線硬化型インクを吐出して印刷媒体の印字面に印刷を行うプリンタであって、機体に支持されたヘッド案内レール側に取り付けられ該ヘッド案内レールの長手方向に沿って延びる紫外線照射光源と、該光源を制御する光源用コントローラとを備えている。紫外線照射光源を複数の紫外線ＬＥＤチップを並べた構成とし、ヘッドキャリッジのヘッド案内レールに沿った移動に追随して、印刷ヘッドの対面する印字面に対応する紫外線ＬＥＤチップを消灯し、移動する印刷ヘッドの対面する印字面に紫外線照射光源の紫外線が照射されないように光源用コントローラにより紫外線照射光源の紫外線ＬＥＤチップが制御される。【選択図】  図１
2015051546.tif 000002
【特許請求の範囲】
【請求項１】
機体側に支持されたヘッド案内レールと、該ヘッド案内レールに移動可能に取り付けられたヘッドキャリッジに設けられた印刷ヘッドと、印刷媒体を支持する支持手段とを備え、コントローラの制御により、前記ヘッドキャリッジと前記印刷媒体との位置関係を主走査方向と副走査方向に相対移動させ、前記印刷ヘッドから紫外線硬化型インクを吐出して前記印刷媒体の印字面に印刷を行うプリンタにおいて、前記ヘッド案内レール側に取り付けられた該ヘッド案内レールの長手方向に沿って延びる紫外線照射光源と、該光源を制御する光源用コントローラとを備え、前記紫外線照射光源を複数の紫外線ＬＥＤチップを並べた構成とし、前記ヘッドキャリッジの前記ヘッド案内レールに沿った移動に追随して、印刷媒体上の印刷ヘッドのインク吐出面に対面する領域を照射範囲とする前記紫外線ＬＥＤチップを消灯し、印刷媒体上の、移動する印刷ヘッドのインク吐出面に対面する領域に前記紫外線照射光源の紫外線が照射されないように前記光源用コントローラにより前記紫外線照射光源の紫外線ＬＥＤチップが制御されるようにしたことを特徴とするプリンタにおける紫外線照射装置。
【請求項２】
前記紫外線照射光源は、印刷媒体の幅方向に多数配置された紫外線ＬＥＤチップからなるＬＥＤ発光部と、該ＬＥＤ発光部を保持するカバーとから成り、該カバーにＬＥＤ発光部の出す紫外線を印刷媒体に向けて導くための光透過部が設けられていることを特徴とする請求項１に記載のプリンタにおける紫外線照射装置。
【発明の詳細な説明】
【技術分野】
【０００１】
本発明は、インクジェット印刷ヘッドから紫外線硬化型インクを吐出し、印刷媒体に印刷を行うプリンタにおける紫外線照射装置に関する。
【背景技術】
【０００２】
紫外線硬化型インクを用いて用紙などのメディアに印字を行い、印字後のインクに紫外線を照射してインクを硬化させるようにしたインクジェットプリンタが従来知られている（例えば特許文献１，２参照）。
また、特許文献１には、プリントヘッドのインク吐出ノズルに対応する部分だけ紫外線発光ダイオード（ＵＶＬＥＤ）を点灯し印字しない部分はＵＶＬＥＤを消灯するインクジェット記録装置が開示されている。
また、特許文献２には、プリントヘッドより広い範囲の光照明装置をプリントヘッドの上方に設け、印字モードにより、光の照射範囲を変更する構成のインクジェットプリンタが開示されている。
【先行技術文献】
【特許文献】
【０００３】
【特許文献１】特開２００４−２３７５８８号公報
【特許文献２】特開２００４−２９９２６７号公報
【発明の概要】
【発明が解決しようとする課題】
【０００４】
紫外線硬化用の光源を、印刷媒体の印字面の幅方向の全域にわたって、プリンタの機体側に取り付けた場合、光源の懸架構造が必要となり、装置の大型化とコスト高を招くととともに、光源のための冷却装置が別途必要となり、これもコスト高を招くという問題点が生じる。
また、紫外線硬化用の光源を印刷ヘッドを搭載したキャリッジ側に設けた場合、キャリッジの重量が増加するという問題点が生じ、また、高価な光源を双方向作画のために２灯用意する必要があり、コスト高となるという問題点が生じる。また、印字面に対する照射時間が短いための光源を高照度とする必要があり、コスト高となるという問題点が生じる。
本発明は、上記問題点を解決することを目的とするものである。
【課題を解決するための手段】
【０００５】
上記目的を達成するため、本発明は、機体側に支持されたヘッド案内レールと、該ヘッド案内レールに移動可能に取り付けられたヘッドキャリッジに設けられた印刷ヘッドと、印刷媒体を支持する支持手段とを備え、コントローラの制御により、前記ヘッドキャリッジと前記印刷媒体との位置関係を主走査方向と副走査方向に相対移動させ、前記印刷ヘッドから紫外線硬化型インクを吐出して前記印刷媒体の印字面に印刷を行うプリンタにおいて、前記ヘッド案内レール側に取り付けられた該ヘッド案内レールの長手方向に沿って延びる紫外線照射光源と、該光源を制御する光源用コントローラとを備え、前記紫外線照射光源を複数の紫外線ＬＥＤチップを並べた構成とし、前記ヘッドキャリッジの前記ヘッド案内レールに沿った移動に追随して、印刷媒体上の印刷ヘッドのインク吐出面に対面する領域を照射範囲とする前記紫外線ＬＥＤチップを消灯し、印刷媒体上の、移動する印刷ヘッドのインク吐出面に対面する領域に前記紫外線照射光源の紫外線が照射されないように前記光源用コントローラにより前記紫外線照射光源の紫外線ＬＥＤチップが制御されるようにしたことを特徴とする。
また本発明は、前記紫外線照射光源は、印刷媒体の幅方向に多数配置された紫外線ＬＥＤチップからなるＬＥＤ発光部と、該ＬＥＤ発光部を保持するカバーとから成り、該カバーにＬＥＤ発光部の出す紫外線を印刷媒体に向けて導くための光透過部が設けられていることを特徴とするものである。
【発明の効果】
【０００６】
本発明は、熱容量の大きいヘッド案内レールに光源を取り付けたので、ヘッド案内レールから大きな放熱効果が得られ、光源を安定的に駆動することができる。また、ヘッドキャリッジ側に光源を取り付けないことで印刷ヘッドの重量を軽くすることができ、ヘッドの高速制御が可能となる。
また、インク吐出中の印字面を照射する位置の、光源の一部を消灯することで、光源の消費電力と発熱の低減を図ることができる。
という効果が得られる。
【図面の簡単な説明】
【０００７】
【図１】本発明に係るプリンタの平面説明図である。
【図２】プリンタの外観説明図である。
【図３】プリンタの側面説明図である。
【図４】本発明の他の実施形態を示すプリンタの側面説明図である。
【図５】本発明の他の実施形態を示すプリンタの側面説明図である。
【図６】本発明の他の実施形態を示すプリンタの側面説明図である。
【図７】本発明の他の実施形態を示すプリンタの側面説明図である。
【図８】本発明のブロック回路説明図である。
【図９】本発明の他の実施形態を示す説明図である。
【発明を実施するための形態】
【０００８】
以下に本発明の構成を添付した図面を参照して詳細に説明する。
図１及び図２において、符号２は、インクジェットプリンタのヘッド案内レールであり、機体（図示省略）に支持具を介して固設されている。４は、ヘッドキャリッジであり、これにインクジェット型印刷ヘッド６（図３参照）が取り付けられている。ヘッドキャリッジ４は、ヘッド案内レール２に、これに沿って主走査方向Ｙ（Ｙ軸方向）に往復可能に連結している。
【０００９】
印刷ヘッド６のインク吐出面には、複数のインク吐出ノズル列が設けられている。ノズル列は互いの主走査方向の印字領域が重なるように印刷ヘッド６の底部のインク吐出面に並列状に配置されている。印刷媒体８上の前記印刷ヘッド６の底部のインク吐出面の移動経路と対向する領域は走査面Ｄを形成する。ヘッドキャリッジ４には複数個の紫外線硬化型インク用のサブタンクが取り付けられ、該サブタンクに機体側に配設されたインクカートリッジからチューブによりインクが供給される。サブタンクと、これらに対応する印刷ヘッド６のノズル列とはチューブを介して連結している。
【００１０】
ヘッド案内レール２の下方にはプラテン１０が設けられ、該プラテン１０上に印刷媒体８が図３中、右から左に搬送されるように構成されている。プラテン１０の水平部には、ヘッド案内レール２に沿ってスリットが形成され、該スリットに駆動ローラ１２が配置されている。プラテン１０上の印刷媒体８は、この駆動ローラ１２と、ヘッド案内レール２側に設けられた押えローラ１４とで挟持され、駆動ローラ１２の回転により、プラテン１０上を副走査方向に所定のピッチで搬送されるように構成されている。
【００１１】
前記ヘッド案内レール２の側面には、Ｙ軸方向に延びる棒状の紫外線照射光源１６が、ヘッドキャリッジ４のヘッド案内レール２に沿った移動範囲の略全域にわたって位置するように配置され、該光源１６は、支持体（図示省略）を介して、又は直接、ヘッド案内レール２に連結している。図１は１本の光源１６をヘッド案内レール２に取り付けた実施形態を示し、図３は２本の光源１６を上下に配置した実施形態を示している。図３において、左側がプリンタの機体の前方、右側が機体の後方であり、印刷ヘッド６は、ヘッド案内レール２に対して、機体の前方側に配置されている。
【００１２】
紫外線照射光源１６は、ボックス状のカバー（図示省略）を有し、該カバーの内部に紫外線（ＵＶ）発光部１６ａが格納され、該カバーの底部には、紫外線の照射方向を規定する紫外線照射窓（光透過部）が該カバーの略全長にわたって形成されている。光源１６を構成するＵＶ発光部１６ａは、複数のＬＥＤ（発光ダイオード）チップ１６ｂが主走査方向に直線状に並べられた棒状の１本又は複数本のＬＥＤ体を構成要素としている。なお、チップの配列は棒状以外に直線の左右に交互にチップを並べた構成その他を採用することができ、特に棒状に限定されるものではない。ＵＶ発光部１６ａは、各ＬＥＤチップ１６ｂの光量及びオンオフの制御が可能となるように、光源用コントローラ１８とドライバ回路２０とからなるＵＶ発光部駆動制御部を介してプリンタのメインコントローラ２２に接続している。
【００１３】
ＵＶ発光部１６ａの各ＬＥＤチップ１６ｂのオンオフ制御及び光量指定には予め付与されたアドレス番号を用い、オンオフ信号や各ＬＥＤチップに対する照度をメインコントローラ２２から光源用コントローラ１８に送信する。光源用コントローラ１８は与えられたデータに基づきドライバ回路２０を介してＵＶ発光部１６ａの各ＬＥＤチップ１６ｂをＰＷＭ方式などにより駆動する。
【００１４】
光源１６から出るＵＶ光は、プラテン１０上の印刷媒体８の、印刷ヘッド６のインク吐出面の移動経路と対面する走査面Ｄに照射されるように構成されている。ここで走査面Ｄとは印刷ヘッド６の印字幅に相当する幅を有し、印刷ヘッド６のインク吐出面の主走査方向の移動経路に沿って印刷媒体８の幅方向の全域に延びる領域であり、印刷ヘッド６は、ヘッド案内レール２に沿ってこの走査面Ｄ上を主走査方向Ｙに移動し、この走査面Ｄに１バンド分の印刷を行う。
【００１５】
次に図１及び２に示す本実施形態の動作について説明する。
印刷ヘッド６は、印刷媒体８の側方（例えば左側）に設定されたホームポジションから、水平方向に、印刷媒体８の側部に接近した待機位置まで移動し、該待機位置から、例えば右方向（主走査方向）にＣＭＹＫ（シアン、マゼンタ、イエロー、ブラック）のＵＶ硬化型インクを吐出しながら移動し、印刷媒体８にまず１バンド分の印字を行う。１バンド分の印字が完了すると、印刷ヘッド６は、印刷媒体８の左側の待機位置まで復帰移動するとともに、印刷媒体８が、１バンド分副走査方向に移動する。  
【００１６】
次に、印刷ヘッド６は、待機位置から右方向に移動し、印刷媒体８にノズル列の２つの分割領域を使って、先に印字した１バンド分の印字領域と新たに１バンド分の領域にカラーの印字を行う。このとき、最初の１バンド分の印字領域には、２パス目の印字が重ねて印字される。上記の要領で４パスのカラーの印字が行われると、最初の１バンド分の印字が完了し、この要領で、印字媒体８に順次印字が行われる。上記印字方式は４パス方式であるが、１パス方式その他種々の印字方式が存し、本発明の実施に際しては、４パス方式の印字に特に限定されるものではない。また片方での印字や双方向での印字など多々の印字方法も用途により用いられる。
【００１７】
上記印刷ヘッド６による印字動作中、光源１６は、一部を除いて点灯し、印刷ヘッド６の吐出面の移動経路に対向する、印刷媒体８の走査面Ｄに、印刷ヘッド６の移動経路を基準として、機体の後方側から、ＵＶ光を照射する。このとき光源用コントローラ１８はヘッドキャリッジ４の背面側に位置し、印刷ヘッド６の吐出面に対向する印字面を照射範囲とするＬＥＤチップ１６ｂを消灯し、印刷ヘッド６の吐出面から吐出した直後のまだ、印刷媒体８の表面に着弾していない状態のインクにＵＶ光が照射されないようにしていると共に、光源１６の前を移動するヘッドキャリッジ４に対して照射をしなくなるので、ヘッドキャリッジに対する温度上昇も抑えている。このように移動するヘッドキャリッジ４の背面側に対向位置するＬＥＤチップを光源用コントローラ１８の制御で消灯することで、光源１６の消費電力と発熱の低減を図っている。
【００１８】
図３の光源１６を２本設けた実施形態の動作も上記実施形態の動作と同一である。
図４は、光源１６を取付具２４を介して印刷ヘッド６の真上に配置した実施形態を示している。光源１６から出るＵＶ光は、プリンタの印字動作中、移動するヘッドキャリッジ４の上面側に位置する部分が消灯し、他の部分が印刷媒体８の走査面Ｄを照射する。他の構成は、図３に示す実施形態と同一である。
図５は、光源１６を、取付具２６を介して、ヘッドキャリッジ４の移動経路を基準として、機体の前方側に配置した実施形態を示している。
【００１９】
光源１６は、プリンタの印字動作中、移動するヘッドキャリッジ４の前面側に位置し、印刷ヘッド４の吐出面に対向する走査面を照射範囲とする部分が消灯し、他の部分が印字媒体８の走査面Ｄを照射する。尚、本実施形態の図３，図５のように、図４のような上方からの照射ではなく下方部分からの照射である場合、印刷媒体８への距離が短いため光量が少なくても印刷媒体に届く時点での光量を得る事ができるため上方などから照射する場合に比べて能力の低い光源を使用する事ができる。他の構成は、図３に示す実施形態と同一である。
図６は、ヘッド案内レール移動型のプリンタに本発明を適用した実施形態を示している。
ヘッド案内レール２は、プリンタの機体に図中、左右方向（副走査方向）に移動可能に支持されている。印字動作は、支持台２８上の印刷媒体８に対して、ヘッド案内レール２が副走査方向に相対移動し、ヘッドキャリッジ４がヘッド案内レール２に対して主走査方向に移動し、印刷ヘッド６から印刷媒体８の走査面に対してインクが吐出され、印字が行われる。
【００２０】
ヘッド案内レール２の下面には、棒状光源１６が配置され、光源１６は、プリンタの印字動作中、移動するヘッドキャリッジ４の背面側に位置する部分が消灯し、他の部分が印刷媒体８の走査面を照射する。プリンタにおいて、ヘッド案内レール２には、通常印刷媒体８を駆動ローラとの間で挟持する押えローラが取り付けられる。しかるに、本実施形態のようなヘッド案内レール駆動型のプリンタには、ヘッド案内レール２に押えローラを設けないので、ヘッド案内レール２の下面に直接、印字媒体の印字面に対向させて棒状光源１６を取り付けることが可能となる。尚、図６においては左側にヘッド案内レール２が移動する事により印字面が光源１６の照射範囲に移動する。なお、図５のようにヘッドを挟んだ反対側に光源１６を設ける場合には、ヘッド案内レール２の移動方向は右側にるため、相対的な搬送方向は本実施形態ではどちらでもよい。
他の構成は、図３に示す実施形態と同一である。
【００２１】
図７は、光源１６の冷却方式の一形態を示している。
光源１６は、通常高温になりやすい。光源１６の発熱を抑えるには、プリンタのヘッド案内レール２のような熱容量が大きく、発熱しにくい部材に光源１６を取り付け、ヘッド案内レール２を通じて放熱することが望ましい。プリンタのヘッド案内レール２は通常、中空のため、本実施形態では、プリンタのヘッド案内レール２にファン３２を取り付け、ヘッド案内レール２の両端側に排気口３４，３４を設けることで、ヘッド案内レール２内に空気の流れを発生させヘッド案内レール２の冷却を行っている。本実施形態の他の構成は、図３に示す実施形態の構成と同一である。
【００２２】
図１０は、上下２段の光源１６の各々の照射範囲を変えた実施形態を示している。
下段の光源１６は、図９（Ａ）に示すように、その照射範囲Ａが、印刷媒体８上の印字範囲Ａと一致するように設定され、上段の光源１６は、図９（Ｂ）に示すように、その照射範囲Ｂが印字範囲Ａを含み、更にこれより前方に延びる範囲に設定されている。即ち、図９の実施形態では、上段の光源１６が印字範囲Ａより広いエリアを照射し、下段の光源１６が印字範囲Ａを照射する。各段の光源１６の照射範囲はカバーの光透過部のレンズと照射する角度などで調整が行われる。下段の光源１６による照射は、走査面Ｄとの距離が近いことと、照射範囲が狭いことで光量が増大し、印字直後の照射に適している。また、上段の光源１６による全体的な広い範囲での照射は、印刷媒体印字面への積算光量を増やすものである。上下段の光源１６の照射範囲は特に図示する範囲に限定されるものではなく、適宜設定することができる。また、光源１６は上下２段に限定されるものではなく、複数段の配置が可能である。
上記した構成において、上記印刷ヘッド６による印字動作中、光源１６，１６は、一部を除いて点灯し、印刷媒体８の走査面Ｄとその前方のエリアに、印刷ヘッド６の移動経路を基準として、機体の後方側から、ＵＶ光を照射する。  このとき光源用コントローラ１８はヘッドキャリッジ４の背面側に位置し、印刷ヘッド６の吐出面に対向する領域の走査面Ｄを照射範囲とするＬＥＤチップ１６ｂを消灯し、印刷ヘッド６から吐出した直後のまだ、印刷媒体８の表面に着弾していない状態のインクにＵＶ光が照射されないようにしている。
【００２３】
上記実施形態において、印刷媒体８の副走査方向の搬送速度に注目すると、ヘッドキャリッジ４の主走査方向の移動速度に比べてかなり低速である。また、一般に紫外線硬化型インクはピーク照度と積算照度が硬化条件として挙げられている。このため、ヘッドキャリッジに光源が搭載され移動する方式に比べて上記実施形態の場合、長時間紫外線を照射することが可能となる。
【００２４】
このため、ヘッドキャリッジと共に移動する方式と比べて低照度の光源の使用が可能であり、低照度の光源であっても長時間照射がされるため、積算の光量としては同じ効果を得る事ができるため、高価な光源を使用しないで済むというコスト面での有利性がある。また光源の光量が少なくて済むという事は光源から発生する熱量も低くなるため、温度の上昇などが抑えられるとい利点もある。さらに、双方向作画のため、通常はヘッドキャリッジの左右に発光部を搭載する必要がある。しかるに、本実施形態では、ヘッド案内レール側に光源を取り付けるため、ヘッドキャリッジ側に重量の増加が発生しないので、ヘッドキャリッジの高速化や吐出位置の制御に関し、有利性がある。
なお、上記説明中、印字という表現は印刷と同義で使用している。また、印刷媒体は用紙だけでなく、樹脂やプラスチック、金属など種々の材料のものが用いられるが、特に板状のものなどにも印刷することができる。
【符号の説明】
【００２５】
２      ヘッド案内レール
４      ヘッドキャリッジ
６      印刷ヘッド
８      印刷媒体
１０    プラテン
１２    駆動ローラ
１４    押えローラ
１６    光源
１６ａ  ＵＶ発光部
１６ｂ  ＬＥＤチップ
１８    発光部コントローラ
２０    ドライバ回路
２２    メインコントローラ
２４    取付具
２６    取付具
２８    台
３２    ファン
３４    排気口
【図１】
2015051546.tif 000003
【図２】
2015051546.tif 000004
【図３】
2015051546.tif 000005
【図４】
2015051546.tif 000006
【図５】
2015051546.tif 000007
【図６】
2015051546.tif 000008
【図７】
2015051546.tif 000009
【図８】
2015051546.tif 000010
【図９】
2015051546.tif 000011